(57)【特許請求の範囲】
【請求項１】
利用者が携帯するカード媒体に記録された情報を読取って電気錠を解錠させるカードリーダーに於いて、
カードリーダー筐体の両側面の各々に設けられ、側方から視認可能な警戒・発報表示灯と、
前記カードリーダー筐体の正面に位置するカード読取面に、上下に分離した矩形枠取り形状をもつライトガイドを配置し、異なる所定色で発光する複数の発光素子を光源として各々備えた読取表示灯及び解錠表示灯と、
カードリーダーの状態に応じて前記警戒・発報表示灯の表示を制御し、前記カード媒体の読取りに対応した所定の状態を検出した場合、所定の発光色と発光パターンの組合せにより前記読取表示灯を制御して識別表示させ、前記電気錠に対応した所定の状態を検出した場合、所定の発光色と発光パターンの組合せにより前記解錠表示灯を制御して識別表示させる制御部と、
を備えたことを特徴とするカードリーダー。
【発明の詳細な説明】
【技術分野】
【０００１】
本発明は、利用者が携帯するカード媒体に記録された利用者識別情報を読取って電気錠を解錠させる入退出管理システムに設けたカードリーダーに関する。
【背景技術】
【０００２】
従来、オフィスビルや工場等の施設にあっては、入退出管理システムが設置されている。入退出管理システムは、例えば建物の階毎に設置したローカル制御盤からの信号線に部屋の入り口扉の外側に設置されたカードリーダーを接続すると共に扉に設けた電気錠を接続している。ローカル制御盤は、伝送路を介して警備室などに設置されたセンター装置や総務部等の管理部門に設置されたクライアント装置に接続されている。
【０００３】
施設や部屋等に出入りする社員等の在籍者は利用者識別情報を登録した例えば非接触ＩＣカードを携帯しており、カードリーダーに非接触ＩＣカードをかざすことで利用者識別情報を読取ってローカル制御盤に送り、ローカル制御盤で事前登録している利用者識別情報との照合一致が得られた場合に電気錠を解錠し、扉を開いて出入りできるようにしている。
【０００４】
図９は従来のカードリーダーを示した説明図であり、図９（Ａ）は正面を示し、図９（Ｂ）は埋込設置した側面を示す。
【０００５】
図９に示すように、従来のカードリーダー１００は、本体１０２とカバー１０４で構成され、カバー１０４の表側となる操作表示面１０６の下側にカード読取部１０８を配置し、上側に、表示部と操作部を設けている。表示部には、読取表示灯１１０、解錠表示灯１１２、警戒・発報表示灯１１４、戸締表示灯１１６及び電源灯１１８が設けられ、操作部には警戒設定スイッチ１２０と警戒解除スイッチ１２２が設けられている。
【０００６】
カードリーダー１００は例えば埋込ボックス１２４により、電気錠を備えた扉を設けた出入口の外側の壁面に埋込み設置されている。
【０００７】
平日の出勤時間帯は、管理責任者が管理者カードの読取りを伴う警戒解除スイッチ１２２の操作を行うことにより警戒モードが解除されており、この状態で、出勤者が携帯している非接触ＩＣカードをカード読取部１０８にかざすと、読取表示灯１１０が一時的に点灯すると共に読取音が出力され、認証に成功すると扉の電気錠が解錠され、解錠表示灯１１２が一時的に点灯する。
【０００８】
勤務時間帯等が過ぎた場合には、管理責任者が管理カードの読取りを伴う警戒設定スイッチ１２０の操作を行うことにより警戒モードが設定され、警戒・発報表示灯１１４が点灯し、非接触ＩＣカードの読取りによる電気錠か解錠が禁止された状態となる。
【０００９】
警戒モードが設定された夜間や休日には、警備担当者が定期的に建物内を巡回することがあり、巡回中は主にカードリーダー１００の警戒・発報表示灯１１４が正常に点灯していることをみながら、異常がないか確認している。
【先行技術文献】
【特許文献】
【００１０】
【特許文献１】特開２００２−２９８１８３号公報
【特許文献２】特開２００１−０２０５７４号公報
【発明の概要】
【発明が解決しようとする課題】
【００１１】
しかしながら、このような従来の入退出管理システムに設けたカードリーダーにあっては、カードリーダーの正面となる操作表示面１０６に各種の表示灯を設けており、警備担当者が巡回中に例えば建物内の廊下に沿った各部屋の出入口に設置されたカードリーダーの表示状態を確認するためには、カードリーダーの正面が見える位置まで近づかないと表示状態がわからず、たとえば、不審者が侵入しようとして防犯センサが作動して警戒・発報表示灯１１４が点滅していたような場合、異常に気付くまでに時間がかかり、迅速な対応ができないおそれがある。
【００１２】
本発明は、巡回中の警備担当者等が遠方から表示状態を視認して迅速且つ適切な対応を可能とする入退出管理システムに設けたカードリーダーを提供することを目的とする。
【課題を解決するための手段】
【００１３】
（カードリーダー）
本発明は、利用者が携帯するカード媒体に記録された情報を読取って電気錠を解錠させるカードリーダーに於いて、
カードリーダー筐体の両側面の各々に設けられ、側方から視認可能な警戒・発報表示灯と、
カードリーダー筐体の正面に位置するカード読取面に、上下に分離した矩形枠取り形状をもつライトガイドを配置し、異なる所定色で発光する複数の発光素子を光源として各々備えた読取表示灯及び解錠表示灯と、
カードリーダーの状態に応じて警戒・発報表示灯の表示を制御し、カード媒体の読取りに対応した所定の状態を検出した場合、所定の発光色と発光パターンの組合せにより読取表示灯を制御して識別表示させ、電気錠に対応した所定の状態を検出した場合、所定の発光色と発光パターンの組合せにより解錠表示灯を制御して識別表示させる制御部と、
を備えたことを特徴とする。
【発明の効果】
【００２２】
（基本的な効果）
本発明は、利用者が携帯するカード媒体に記録された情報を読取って電気錠を解錠させるカードリーダーに於いて、カードリーダー筐体の両側面の各々に設けられ、側方から視認可能な警戒・発報表示灯と、カードリーダーの状態に応じて警戒・発報表示灯の表示を制御する制御部とを備えたようにしたため、例えば建物内の廊下に沿って設けられた複数の部屋の扉に対応して配置したカードリーダーは、カードリーダー筐体の両側面の各々に設けた警戒・発報表示灯により入退出管理システムで警戒モード設定中とした場合の状態を表示しており、巡回中の警備担当者は、廊下の見渡すことのできる範囲にある複数のカードリーダーの状態を警戒・発報表示灯の表示状態を見ることで遠方からも確認することができ、例えば盗難センサの作動などによる異常表示が行われていた場合、カードリーダーの正面の見える位置に行かなくとも手前の離れた位置から異常表示を容易に確認することができ、警戒モード設定中の異常に対し迅速且つ適切な対応が可能となる。
【００２５】
（正面配置の読取表示灯と解錠表示灯による効果）
また、本発明のカードリーダーは、更に、カードリーダー筐体に読取表示灯及び解錠表示灯を設け、読取表示灯及び解錠表示灯は異なる所定色を発光する複数の発光素子を光源として各々備え、制御部は、カード媒体の読取りに対応した所定の状態を検出した場合に、所定の発光色と発光パターンの組合せにより読取表示灯を制御して識別表示させ、電気錠に対応した所定の状態を検出した場合に、所定の発光色と発光パターンの組合せにより解錠表示灯を制御して識別表示させるようにしたため、カード読取りや電気錠の解錠に伴う各所の状態を、側面配置の警戒・発報表示灯とは別に設けた読取表示灯及び解錠表示灯による発光色と発光パターンの組合せにより、明確に区別させ、且つ識別できるように表示することを可能とする。
【００２６】
ここで、読取表示灯と解錠表示灯は、カードリーダー筐体の正面に位置するカード読取面に設けられたため、カード媒体の読取り操作は、カードリーダーの正面から行うことから、読取表示灯と解錠表示灯を見やすくできる。
【００２７】
また、読取表示灯と解錠表示灯は、カードリーダー筐体の正面に位置するカード読取面に、上下に分離して設けられたため、両者の表示場所が明確に区分され、読取表示灯による表示と解錠表示灯による表示を見誤ることがない。
【００２８】
更に、読取表示灯と解錠表示灯は、カードリーダー筐体の正面に位置するカード読取面に、上下に分離した矩形枠取り形状をもつライトガイドを配置するようにしたため、矩形枠取り形状といった平面パターンにより視認性の高い表示ができ、また、デザイン的にも強い印象を与えることができ、意匠的な効果を高めることができる。
【図面の簡単な説明】
【００３０】
【図１】カードリーダーの実施形態を正面及び両側面から示した説明図
【図２】カードリーダーの実施形態を正面及び背面から示した斜視図
【図３】カードリーダーの組立分解構造を示した説明図
【図４】入退出管理システムの概要を示した説明図
【図５】カードリーダーの機能構成を示したブロック図
【図６】カードリーダーの状態に対する表示色と表示パターンを一覧で示した説明図
【図７】カードリーダーの表示パターンを示したタイムチャート
【図８】カードリーダーの他の実施形態を示した説明図
【図９】従来のカードリーダーを示した説明図
【発明を実施するための形態】
【００３１】
［カードリーダー］
（カードリーダーの構造）
図１はカードリーダーの実施形態を正面及び両側面から示した説明図、図２はカードリーダーの実施形態を正面及び背面から示した斜視図、図３はカードリーダーの組立分解構造を示した説明図である。
【００３２】
図１乃至図３に示すように、本実施形態のカードリーダー１０は、内カバー１２と外カバー１４によりカードリーダー筐体を構成している。
【００３３】
外カバー１４には、図３の組立分解構造に示すように、透明パネル３２、静電容量スイッチシート３４、ライトガイド２６ａ，２８ａ、ＲＦ基板３６ａとＣＰＵ基板３６ｂをスペーサを介して２段に配置した回路基板３６のうちのＲＦ基板３６ａ側を積層状態で固定することで本体アッセンブリィ１１を構成し、本体アッセンブリィ１１に対し内カバー１２を嵌め込むことで、図２（Ｂ）の裏面からの斜視図に示すように固定している。なお、ＲＦ基板３６ａにはアンテナコイル３７が配置され、ＣＰＵ基板３６ｂの裏側にはコネクタ３８が配置される。更に、内カバー１２は通し穴１７を介してねじ１９を嵌め入れることで、図示しない取付ボックス側に固定される。
【００３４】
図１に示すように、外カバー１４の正面には表示操作パネル１６が設けられ、操作部として、上部に警戒設定キースイッチ２０と警戒解除キースイッチ２２を配置し、その下側にテンキー３０を配置している。テンキー３０は「１，２，３，４，５，６，７，８，９，＊，０．＃」で示す１２個のキースイッチを４行３列に配列している。なお、図２（Ａ）の表示操作パネル１６のキースイッチの表示は省略している。
【００３５】
これらのキースイッチは、図３に示した静電容量スイッチシート３４を用いることで実現されている。静電容量スイッチシート３４には、警戒設定キースイッチ２０、警戒解除キースイッチ２２及び下側にテンキー３０に対応して１４個の静電容量スイッチ３５が点線で示すように配置されている。
【００３６】
また、カードリーダー１０の表示部として、外カバー１４の側面両側に警戒・発報表示灯２４を設けている。警戒・発報表示灯２４は、正面、側面方向及び斜め方向から視認可能としている。また、警戒・発報表示灯２４は、外カバー１４の側面上部に配置しており、これにより警戒・発報表示灯２４は可能な限り高い位置に配置されることで、遠方からの視認をより行い易くなるようにしている。
【００３７】
側面配置された警戒・発報表示灯２４は、本実施形態にあっては、赤ＬＥＤ、緑ＬＥＤ及び青ＬＥＤを発光源として図３の回路基板３６に配置しており、その３色の光度の組合せにより、いかなる色でも表示可能としている。
【００３８】
また、カードリーダー１０には、警戒・発報表示灯２４に加え、正面の表示操作パネル１６に、警戒設定キースイッチ２０、警戒解除キースイッチ２２及びテンキー３０を配置した操作部を囲む枠形を上下に分割した表示形態をもつ読取表示灯２６と解錠表示灯２８を上下に分けて配置している。
【００３９】
読取表示灯２６と解錠表示灯２８は、図３に示した、上下に分離した矩形枠取り形状をもつライトガイド２６ａ，２８ａを静電容量スイッチシート３４と回路基板３６の間に配置することにより実現され、ライトガイド２６ａ，２８ａに対して本実施形態にあっては、青ＬＥＤと赤ＬＥＤを図３の回路基板３６に配置しており、青と赤の２色発光を可能としている。
【００４０】
［入退出管理システム］
図４は入退出管理システムの概略を示した説明図である。図４に示すように、オフィスビルや工場等の施設に設置された入退出管理システムは、センター装置４０、クライアント４２、ローカル制御盤４６、入退室用カードリーダー１０ａ、出勤用カードリーダー１０ｂ、退勤用カードリーダー１０ｃ及び電気錠４８で構成される。
【００４１】
入退室用カードリーダー１０ａ、出勤用カードリーダー１０ｂ及び退勤用カードリーダー１０ｃは、図１乃至図３の実施形態に示したカードリーダー１０が用いられる。なお、入退室用カードリーダー１０ａ、出勤用カードリーダー１０ｂ及び退勤用カードリーダー１０ｃを区別する必要がない場合は、単にカードリーダー１０という場合がある。
【００４２】
センター装置４０は警備室等に設置され、またクライアント４２は入退出管理業務を行う総務部門等に設置される。ローカル制御盤４６は例えば施設の階毎に分けて設置している。ローカル制御盤４６はセンター装置４０及びクライアント４２とＬＡＮ４４により接続されている。また、センター装置４０には、図示しない防犯センサを備えた防犯システムからの防犯移報信号や火災感知器を備えた火災報知システムからの火災移報信号がＬＡＮ４４又は移報信号線を介して入力される。
【００４３】
入退室用カードリーダー１０ａは各部屋の出入口となる扉の外側に配置されており、また、扉には電気錠４８が設けられている。入退室用カードリーダー１０ａ及び電気錠４８は同じ階に設置しているローカル制御盤４６からの信号線に接続されている。
【００４４】
出勤用カードリーダー１０ｂと退勤用カードリーダー１０ｃは施設の出入口等に設置され、出入口に対応したローカル制御盤４６からの信号線に接続されている。
【００４５】
入退室用カードリーダー１０ａ、出勤用カードリーダー１０ｂ及び退勤用カードリーダー１０ｃは、利用者の携帯する非接触ＩＣカード等に記録された所定の利用者識別情報を読取って事前登録した利用者識別情報と照合し、照合一致により認証成功を判別した場合に認証信号をローカル制御盤４６へ送信する。
【００４６】
ローカル制御盤４６は出勤用カードリーダー１０ｂ及び退勤用カードリーダー１０ｃから認証信号を受信した場合は、ＬＡＮ４４を介してセンター装置４０に認証信号を送信し、センター装置４０で管理している入退出情報に出勤時刻又は退勤時刻を記録させる。また、ローカル制御盤４６は入退室用カードリーダー１０ａから認証信号を受信した場合は、対応する出入口に設けた電気錠４８へ制御信号を出力して解錠制御し、入退室を可能とする。
【００４７】
入退出管理システムは、平日の勤務時間帯は警戒解除モードを設定して動作しており、平日の勤務時間帯以外の時間帯、休日、祭日については、警戒モードを設定して動作している。
【００４８】
入退出管理システムの警戒解除モードは、利用者の携帯する非接触ＩＣカードのカードリーダー１０による読取りで電気錠４８を解錠する制御を可能とするモードであり、一方、警戒モードは、カードリーダー１０により利用者の携帯する非接触ＩＣカードを読取りにより電気錠４８を解錠する制御を禁止するモードであり、併せて、防犯システムの防犯センサが監視状態となる。
【００４９】
入退出管理システムにおける警戒モードと警戒解除モードの設定は、例えば、管理責任者が保有している管理用非接触ＩＣカードを使用して行うことできる。警戒モードは、図１に示したカードリーダー１０の警戒設定キースイッチ２０を操作し、続いて、管理用非接触ＩＣカードをかざして読取らせることで設定できる。また、警戒解除モードは、図１に示したカードリーダー１０の警戒解除キースイッチ２２を操作し、続いて、管理用非接触ＩＣカードをかざして読取らせることで設定できる。また、警戒モードと警戒解除モードはセンター装置４０の操作によっても設定できる。
【００５０】
［カードリーダーの機能構成概略］
図５はカードリーダーの機能構成を示したブロック図である。図５に示すように、カードリーダー１０は、制御部５２、伝送部４２、操作部５６、表示部５８、リーダーライタ部６０、音響出力部６２、マグネット６６と組合せ配置したホール素子６４で構成される。
【００５１】
制御部５２はＣＰＵ、メモリ、各種の入出力ポートを備えたコンピュータ回路で構成しており、プログラムの実行により所定の制御を行う。伝送部４２は所定の通信プロトコルに従って図４に示したローカル制御盤４６との間で各種コマンドを含む信号の送受信を行う。
【００５２】
操作部５６には、警戒設定キースイッチ２０、警戒解除キースイッチ２２及びテンキー３０が設けられており、図３に示した静電容量スイッチシート３４の静電容量スイッチ３５で実現される。表示部５８には、一対の警戒・発報表示灯２４、読取表示灯２６及び解錠表示灯２８が設けられる。
【００５３】
リーダーライタ部６０は図３の回路基板３６に設けたアンテナコイル３７とその送受信回路を備えており、アンテナコイル３７には例えば１３．５６ＭＨｚの発信信号を増幅して加えることで交流磁界を発生しており、非接触ＩＣカード５０が近接すると電磁誘導により電力を供給して動作させることで、非接触ＩＣカード５０から固有の利用者情報を読取る。
【００５４】
音響出力部６２はスピーカと駆動回路を備え、カード読取音等を出力する。ホール素子６４はマグネット６６との組合せによりタンパスイッチを構成している。ホール素子６４は図３の回路基板３６に設けられ、マグネット６６はホール素子６４に相対した内カバー１２に配置され、正常な状態では、マグネット６６の磁界をホール素子６４により検出してタンパスイッチをオンとしている。これに対し悪戯等により、外カバー１４に一体化している本体アッセンブリィ１１を内カバー１２から外した場合、ホール素子６４によるマグネット６６の磁界検出が断たれ、タンパスイッチをオフにより異常を検出する。
【００５５】
［カードリーダーの表示制御］
カードリーダー１０の制御部５２は、非接触ＩＣカード５０の読取りによる電気錠の解錠制御及び入退出管理システムに関する各種の制御に加え、表示部５８に設けている警戒・発報表示灯２４、読取表示灯２６及び解錠表示灯２８の表示制御を行う。警戒・発報表示灯２４は、赤、緑、青の３色ＬＥＤであり、その３色の光度の組合せにより、いかなる色でも表示可能である。
【００５６】
（警戒・発報表示灯の表示制御）
制御部５２は、警戒・発報表示灯２４をカードリーダー１０における所定の内部状態又は図４のローカル制御盤４６から受信したコマンド信号による所定の外部状態を検出した場合に、検出した状態に対応した所定の発光色と発光パターンの組合せにより駆動して識別表示させる制御を行う。
【００５７】
図６はカードリーダーの状態に対する表示色と表示パターンを一覧で示した説明図であり、警戒・発報表示灯２４、読取表示灯２６及び解錠表示灯２８に分けて示している。また、図７はカードリーダーの表示パターンを示したタイムチャートであり、早点滅、遅点滅、２秒周期点滅、４秒周期点滅に分けて示している。なお、４秒周期点滅には、点灯から始まるオンタイムのパターンと、消灯から始まるオフタイムのパターンがあり、どちらを使用しても良い。
【００５８】
図６に示す警戒・発報表示灯２４の表示制御は、種別の欄に示す内部状態とコマンド受信に大別される。内部状態の表示は、タンパー異常、キー押しっぱなしエラー、カードモジュール通信エラーといったカードリーダー１０の障害を示す表示となる。
【００５９】
これに対しローカル制御盤４６からのコマンド受信は、入退出管理システムで警戒モードを設定した場合の外部状態、即ちシステム状態を示す表示となる。このコマンド受信によるシステム状態の表示は、火災発生、盗難発報、警戒中での巡回終了、警戒中での巡回中、未警戒での巡回中、警戒解除エラー、警戒開始エラー、入館タイマ起動、退館タイマ起動、平常時（未警戒で巡回終了）、複数の防犯センサをループ接続した場合のループ閉を示す表示となる。
【００６０】
このため、入退出管理システムが警戒解除モードにある場合、カードリーダー１０の警戒・発報表示灯２４は消灯しているが、警戒モードを設定すると警戒・発報表示灯２４は緑点灯し、警戒モードにあることを識別表示させる。
【００６１】
また警戒モードの設定中に警備担当者が巡回する場合には、例えばセンター装置４０で巡回モードを設定すると、カードリーダー１０の警戒・発報表示灯２４は黄点灯し、巡回中であることを識別表示する。
【００６２】
警備担当者による巡回中、建物の廊下に沿って配置されている部屋の扉外側に配置しているカードリーダー１０の警戒・発報表示灯２４は黄点灯しており、警備担当者は廊下の見渡せる位置に設置している複数のカードリーダー１０について、その場所に行かなくとも遠方から黄点灯にあることを確認できる。このため何れかのカードリーダー１０で例えばタンパー異常が検出されていた場合には、その警戒・発報表示灯２４が赤早点滅となり、警備担当者は、赤早点滅による表示を遠方から確認してタンパー異常を知り、必要な対応を迅速且つ適切にとることが可能となる。
【００６３】
また、警備担当者の巡回中に、火災が発生した場合には、火災報知システムからの火災移報信号がセンター装置４０などで受信され、カードリーダー１０にローカル制御盤４６を介して火災移報コマンド信号が送られ、これにより警戒・発報表示灯２４が赤橙早点滅（赤と橙を交互に早点滅）により火災発生を識別表示し、警備担当者は、見渡せる範囲にある複数のカードリーダー１０の側面に配置した警戒・発報表示灯２４が一斉に赤橙早点滅することで火災発生を知り、必要な対応を迅速且つ適切にとることが可能となる。
【００６４】
（読取表示灯の表示制御）
制御部５２は、青ＬＥＤと赤ＬＥＤにより青及び赤の２色発光が可能な正面上部に配置した読取表示灯２６を、カードリーダー１０における所定の内部状態又は図４のローカル制御盤１６から受信したコマンド信号による所定の外部状態を検出した場合に、検出した状態に対応した所定の発光色と発光パターンの組合せにより駆動して識別表示させる制御を行う。
【００６５】
図６に示す読取表示灯２６の表示制御は、種別の欄に示す内部状態とコマンド受信に大別される。内部状態の表示は、タンパー異常、伝送障害中、ファンクションモード中、キー押下中を示す表示となる。
【００６６】
これに対しローカル制御盤４６からのコマンド受信は、マスク中、正常カード読取り、カード読取エラー、条件外使用、平常時を示す表示となる。
【００６７】
このためカードリーダー１０に正面配置した読取表示灯２６は、平常時は青色に常時点灯して、カード読取枠の上側を表示しており、非接触ＩＣカード５０をカードリーダー１０にかざして正常にカード読取りが行われると、読取表示灯２６が２秒消灯して再び青点灯に戻り、カード読取りが正常に行われたことを表示する。この場合、読取表示灯２６が２秒消灯に連動して所定の読取音が出力される。
【００６８】
一方、カード読取がエラーとなった場合には、読取表示灯２６が２秒赤点滅して再び青点灯に戻り、エラーカード読取りとなったことを表示し、利用者は再度、カード読取操作を行うことになる。
【００６９】
また、タンパー異常については、警戒・発報表示灯２４と同様に、読取表示灯２６も赤早点滅となり、カードリーダー１０の破損を伴う異常事態にあることを強く印象づけるように警報表示させる。
【００７０】
（解錠表示灯の表示制御）
制御部５２は、青ＬＥＤと赤ＬＥＤにより青及び赤の２色発光が可能な正面下部に配置した解錠表示灯２８を、カードリーダー１０における所定の内部状態又は図４のローカル制御盤４６から受信したコマンド信号による所定の外部状態を検出した場合に、検出した状態に対応した所定の発光色と発光パターンの組合せにより駆動して識別表示させる制御を行う。
【００７１】
図６に示す解錠表示灯２８の表示制御は、種別の欄に示す内部状態とコマンド受信に大別される。内部状態の表示は、タンパー異常、コマンドによる消灯制御を示す表示となる。
【００７２】
また、ローカル制御盤４６からのコマンド受信による表示は、解錠、トグル解錠（解錠時間を設定した解錠）、平常時（施錠中）を示す表示となる。
【００７３】
このためカードリーダー１０に正面下部に配置した解錠表示灯２８は、施錠中となる平常時は青色に常時点灯して、カード読取枠の下側を表示している。この状態で、非接触ＩＣカード５０をカードリーダー１０にかざして正常にカード読取りが行われると、ローカル制御盤４６による電気錠４８の解錠制御が行われ、カードリーダー１０はローカル制御盤４６からトグル解錠のコマンド信号を受信することから、これを検出して予め設定している解錠時間のあいだ解錠表示灯２８を青遅点滅して電気錠４８が解錠していることを表示する。
【００７４】
また、センター装置１０の操作や火災移報信号の受信により一斉解錠を行った場合には、解錠コマンド信号の受信を検出し、解錠表示灯２８を消灯して電気錠４８が解錠していることを表示する。
【００７５】
また、タンパー異常については、警戒・発報表示灯２４及び読取表示灯２６と同様に、解錠表示灯２８も赤早点滅となり、カードリーダー１０の破損を伴う異常事態にあることを強く印象づけるように警報表示させる。
【００７６】
なお、図６に示した警戒・発報表示灯２４、読取表示灯２６及び解錠表示灯２８の表示制御は一例であり、必要に応じて適宜の状態を検知して所定の表示色と表示パターンの組合せによる識別表示が可能である。
【００７７】
［カードリーダーの他の実施形態］
図８はカードリーダーの他の実施形態を示した説明図である。図８に示すように、本実施形態のカードリーダー１０は、表示操作パネル１６にテンキーを設けておらず、その中央にカード読取マーク７０を配置しており、それ以外表示部及び操作部の構成は図１の実施形態と同じになる。
【００７８】
外カバー１４側に一体化した図３の本体アッセンブリィ１１は、図８の実施形態も同じであり、静電容量スイッチシート３４には、同様に、１４個の静電容量スイッチ３５が配列されており、そのうちキースイッチに使用する１２個を除く２個の静電容量スイッチ３５のスイッチ信号を処理するように構成している。これにより静電容量スイッチシート３４を共通化し、その上に配置する透明パネル３２に対するスイッチ部位の印刷表示を変更するだけで、対応可能としている。
【００７９】
このキースイッチを持たない図８のカードリーダー１０にあっては、キースイッチによりファンクション番号を設定し、続いて管理用非接触ＩＣカードを読取らせて行う管理責任者による所定のファンクションモードの設定ができない点で図１の実施形態と相違するが、それ以外は、基本的に同じになる。
【００８０】
また、カードリーダー１０の他の実施形態として、警戒設定キースイッチ、警戒解除キースイッチ及びテンキーの何れも設けていないカード読取専用のカードリーダーとしても良い。この場合、図３に設けた静電容量スイッチシート３４は不要となる。
【００８１】
［本発明の変形例］
（カードリーダー）
上記の実施形態は、非接触ＩＣカードを一回り大きくした小型サイズのカードリーダーの両側面に、側方から視認可能な警戒・発報表示灯を設けた場合を例にとっているが、これに限られない。例えば、カードリーダー筐体の両側面に警戒・発報表示灯を設けていれば良く、カードリーダーのサイズや形状に限定されることはない。
【００８２】
（スイッチシート）
上記の実施形態は、静電容量スイッチを配列した静電容量スイッチシートを使用しているが、これに限られない。例えば、感圧スイッチや押釦スイッチ等を配列した適宜にスイッチ構造をもつスイッチシードを使用しても良い。
【００８３】
（その他）
また，本発明は、その目的と利点を損なうことのない適宜の変形を含み、更に上記の実施形態に示した数値による限定は受けない。
【符号の説明】
【００８４】
１０：カードリーダー
１１：本体アッセンブリィ
１２：内カバー
１４：外カバー
１６：表示操作パネル
２０：警戒設定キースイッチ
２２：警戒解除キースイッチ
２４：警戒・発報表示灯
２６：読取表示灯
２６ａ，２８ａ：ライトガイド
２８：解錠表示灯
３０：テンキー
３２：透明パネル
３４：静電容量スイッチシート
３５：静電容量スイッチ
３６：回路基板
３６ａ：ＲＦ基板
３６ｂ：ＣＰＵ基板
３７：アンテナコイル
４０：センター装置
４２：クライアント
４６：ローカル制御盤
４８：電気錠
５０：非接触ＩＣカード
５２：制御部
５４：伝送部
５６：操作部
５８：表示部
６０：リーダーライタ部
６２：音響出力部
６４：ホール素子
６６：マグネット
７０：カード読取マーク
【図１】
0006770324.tif 000002
【図２】
0006770324.tif 000003
【図３】
0006770324.tif 000004
【図４】
0006770324.tif 000005
【図５】
0006770324.tif 000006
【図６】
0006770324.tif 000007
【図７】
0006770324.tif 000008
【図８】
0006770324.tif 000009
【図９】
0006770324.tif 000010